(57)【要約】【課題】排煙脱硫装置の省スペース化及びコストの低減を図る。【課題手段】排煙脱硫装置は、排ガス中の硫黄酸化物を吸収液で吸収して吸収塔タンク５内に貯留する吸収塔１と、吸収塔タンク５から抜き出した吸収液を石膏と脱水濾液とに分離する分離装置２と、分離装置２の濾液流出口４０と吸収塔１の濾液流入口４１とを連通する濾液回収管路２０と、を備える。濾液流出口４０の地上高は、濾液流入口４１の地上高よりも高く、濾液回収管路２０は、濾液流出口４０から流出した脱水濾液が重力によって流下して濾液流入口４１に流入可能に配設されている。【選択図】図１
2019166486.tif 000002
【特許請求の範囲】
【請求項１】
硫黄酸化物を含む排ガスから硫黄酸化物を除去する排煙脱硫装置であって、
排ガス中の硫黄酸化物を吸収液で吸収して吸収塔タンク内に貯留する吸収塔と、
前記吸収塔タンクから抜き出した吸収液を石膏と脱水濾液とに分離する分離装置と、
前記分離装置の濾液流出口と前記吸収塔の濾液流入口とを連通する濾液回収管路と、を備え、
前記濾液流出口の地上高は、前記濾液流入口の地上高よりも高く、
前記濾液回収管路は、前記濾液流出口から流出した脱水濾液が重力によって流下して前記濾液流入口に流入可能に配設されている
ことを特徴とする排煙脱硫装置。
【請求項２】
硫黄酸化物を含む排ガスから硫黄酸化物を除去する排煙脱硫装置であって、
排ガス中の硫黄酸化物を吸収液で吸収して吸収塔タンク内に貯蔵する吸収塔と、
前記吸収塔タンクから抜き出した吸収液を石膏と脱水濾液とに分離する分離装置と、
脱水濾液中の有害成分を除去する排水処理設備と、
前記分離装置の濾液流出口と前記吸収塔の濾液流入口と前記排水処理設備の濾液流入口とを連通する濾液回収管路と、
前記濾液回収管路のうち前記吸収塔の前記濾液流入口へ向かう経路に設けられた吸収塔側バルブと、
前記濾液回収管路のうち前記排水処理設備の前記濾液流入口へ向かう経路に設けられた排水処理側バルブと、を備え、
前記濾液流出口の地上高は、前記吸収塔の前記濾液流入口の地上高及び前記排水処理設備の前記濾液流入口の地上高よりも高く、
前記濾液回収管路は、前記濾液流出口から流出した脱水濾液が重力によって流下して前記吸収塔の前記濾液流入口と前記排水処理設備の前記濾液流入口とに流入可能に配設されている
ことを特徴とする排煙脱硫装置。
【請求項３】
硫黄酸化物を含む排ガスから硫黄酸化物を除去する排煙脱硫装置であって、
排ガス中の硫黄酸化物を吸収液で吸収して吸収塔タンク内に貯蔵する吸収塔と、
前記吸収塔タンクから抜き出した吸収液を高固形分濃度液と低固形分濃度液に分離する石膏ハイドロサイクロンと、
前記石膏ハイドロサイクロンから排出された高固形分濃度液を石膏と脱水濾液とに分離する分離装置と、
脱水濾液中の有害成分を除去する排水処理設備と、
前記石膏ハイドロサイクロンの低固形分濃度側濾液流出口と前記分離装置の濾液流出口と前記吸収塔の濾液流入口と前記排水処理設備の濾液流入口とを連通する濾液回収管路と、
前記濾液回収管路のうち前記吸収塔の前記濾液流入口へ向かう経路に設けられた吸収塔側バルブと、
前記濾液回収管路のうち前記排水処理設備の前記濾液流入口へ向かう経路に設けられた排水処理側バルブと、を備え、
前記石膏ハイドロサイクロンの前記低固形分濃度濾液流出口の地上高と前記分離装置の前記濾液流出口の地上高とは、前記吸収塔の前記濾液流入口の地上高及び前記排水処理設備の前記濾液流入口の地上高よりも高く、
前記濾液回収管路は、前記分離装置の前記濾液流出口から流出した脱水濾液が重力によって流下して前記吸収塔の前記濾液流入口と前記排水処理設備の前記濾液流入口とに流入可能で、且つ前記石膏ハイドロサイクロンの前記低固形分濃度濾液流出口から流出した脱水濾液が重力によって流下して前記吸収塔の前記濾液流入口と前記排水処理設備の前記濾液流入口とに流入可能に配設されている
ことを特徴とする排煙脱硫装置。
【発明の詳細な説明】
【技術分野】
【０００１】
本発明は、排煙脱硫装置に関する。
【背景技術】
【０００２】
火力発電所等で発生した硫黄酸化物を含む排ガスから硫黄酸化物を除去する装置として、湿式石灰石−石膏排煙脱硫装置（以下、排煙脱硫装置と称する。）が広く実用化されている。排煙脱硫装置では、発生した排ガスを吸収塔へ導き、吸収液と接触させて硫黄酸化物を吸収除去するとともに、石膏を副生品として回収する。
【０００３】
特許文献１には、吸収液から石膏を分離する石膏脱水装置が記載されている。吸収塔の底部の吸収塔循環タンクに滞溜した吸収液は、石膏脱水装置に送られ、石膏脱水装置によって石膏と脱水濾液とに分離されて、濾液タンクに送られる。濾液タンク内の脱水濾液は、濾液ポンプによって吸収塔の吸収塔循環タンクに供給可能となっている。
【先行技術文献】
【特許文献】
【０００４】
【特許文献１】特開２００７−１０５６７９号公報
【発明の概要】
【発明が解決しようとする課題】
【０００５】
特許文献１に記載の装置では、脱水濾液を貯留する濾液タンクや、濾液タンクから吸収塔循環タンクへ脱水濾液を送る濾液ポンプを設ける必要がある。このため、省スペース化や初期費用及び運転費用の低減を図ることが難しい。
【０００６】
そこで本発明は、省スペース化やコストの低減を図ることが可能な排煙脱硫装置の提供を目的とする。
【課題を解決するための手段】
【０００７】
上記目的を達成すべく、本発明の第１の態様は、硫黄酸化物を含む排ガスから硫黄酸化物を除去する排煙脱硫装置であって、排ガス中の硫黄酸化物を吸収液で吸収して吸収塔タンク内に貯留する吸収塔と、吸収塔タンクから抜き出した吸収液を石膏と脱水濾液とに分離する分離装置と、分離装置の濾液流出口と吸収塔の濾液流入口とを連通する濾液回収管路と、を備える。濾液流出口の地上高は、濾液流入口の地上高よりも高く、濾液回収管路は、濾液流出口から流出した脱水濾液が重力によって流下して濾液流入口に流入可能に配設されている。
【０００８】
本発明の第２の態様は、硫黄酸化物を含む排ガスから硫黄酸化物を除去する排煙脱硫装置であって、排ガス中の硫黄酸化物を吸収液で吸収して吸収塔タンク内に貯蔵する吸収塔と、吸収塔タンクから抜き出した吸収液を石膏と脱水濾液とに分離する分離装置と、脱水濾液中の有害成分を除去する排水処理設備と、分離装置の濾液流出口と吸収塔の濾液流入口と排水処理設備の濾液流入口とを連通する濾液回収管路と、濾液回収管路のうち吸収塔の濾液流入口へ向かう経路に設けられた吸収塔側バルブと、濾液回収管路のうち排水処理設備の濾液流入口へ向かう経路に設けられた排水処理側バルブと、を備える。濾液流出口の地上高は、吸収塔の濾液流入口の地上高及び排水処理設備の濾液流入口の地上高よりも高く、濾液回収管路は、濾液流出口から流出した脱水濾液が重力によって流下して吸収塔の濾液流入口と排水処理設備の濾液流入口とに流入可能に配設されている。
【０００９】
本発明の第３の態様は、硫黄酸化物を含む排ガスから硫黄酸化物を除去する排煙脱硫装置であって、排ガス中の硫黄酸化物を吸収液で吸収して吸収塔タンク内に貯蔵する吸収塔と、吸収塔タンクから抜き出した吸収液を高固形分濃度液と低固形分濃度液に分離する石膏ハイドロサイクロンと、石膏ハイドロサイクロンから排出された高固形分濃度液を石膏と脱水濾液とに分離する分離装置と、脱水濾液中の有害成分を除去する排水処理設備と、石膏ハイドロサイクロンの低固形分濃度側濾液流出口と分離装置の濾液流出口と吸収塔の濾液流入口と排水処理設備の濾液流入口とを連通する濾液回収管路と、濾液回収管路のうち吸収塔の濾液流入口へ向かう経路に設けられた吸収塔側バルブと、濾液回収管路のうち排水処理設備の濾液流入口へ向かう経路に設けられた排水処理側バルブと、を備える。石膏ハイドロサイクロンの低固形分濃度濾液流出口の地上高と分離装置の濾液流出口の地上高とは、吸収塔の濾液流入口の地上高及び排水処理設備の濾液流入口の地上高よりも高く、濾液回収管路は、分離装置の濾液流出口から流出した脱水濾液が重力によって流下して吸収塔の濾液流入口と排水処理設備の濾液流入口とに流入可能で、且つ石膏ハイドロサイクロンの低固形分濃度濾液流出口から流出した脱水濾液が重力によって流下して吸収塔の濾液流入口と排水処理設備の濾液流入口とに流入可能に配設されている。
【００１０】
上記構成では、分離装置の濾液流出口から流出した脱水濾液は、濾液回収管路を流下して吸収塔の濾液流入口へ流入し、吸収塔タンクに貯留される。濾液流出口の地上高は、濾液流入口の地上高よりも高く、濾液回収管路は、濾液流出口から流出した脱水濾液が重力によって流下して濾液流入口へ流入するように配設されているので、脱水濾液を貯留する濾液タンクや、濾液タンクから吸収塔タンクへ脱水濾液を送る濾液ポンプを設ける必要がなく、省スペース化やコストの低減が可能となる。
【００１１】
また、吸収塔タンクを脱水濾液の貯留タンクとして機能させることにより、装置全体の水バランスを整えることができる。
【発明の効果】
【００１２】
本発明によれば、排煙脱硫装置の省スペース化及びコストの低減を図ることができる。
【図面の簡単な説明】
【００１３】
【図１】本発明の一実施形態に係る排煙脱硫装置の構成を模式的に示す図である。
【発明を実施するための形態】
【００１４】
本発明の一実施形態に係る排煙脱硫装置について、図１を参照して説明する。
【００１５】
本実施形態の排煙脱硫装置は、火力発電所等で発生した硫黄酸化物を含む排ガスから硫黄酸化物を除去する湿式石灰石−石膏排煙脱硫装置であり、硫黄酸化物を含む排ガスが導入される吸収塔１と、吸収液を石膏と脱水濾液（濾過液）とに分離する分離装置２とを備える。
【００１６】
吸収塔１には入口ダクト５０が設置され、ボイラ(図示省略)からの排ガスが導入される。
【００１７】
吸収塔１内には、多数のスプレノズル３を備えたスプレヘッダ４が設置され、スプレノズル３から吸収液が微細な液滴として噴霧される。噴霧された吸収液が排ガスと接触することにより、排ガス中の硫黄酸化物が吸収液滴の表面で化学的に除去され、排ガス出口５１より排出される。排ガス流れに同伴する微小な液滴は、吸収塔１の上部に設置されたミストエリミネータ（図示省略）で除去される。ミストエリミネータで微小な液滴が取り除かれたガスは、必要に応じて吸収塔１の後流側に設置される再加熱設備（図示省略）によって昇温されて、煙突（図示省略）から排出される。スプレノズル３から噴霧された大部分の液滴は、硫黄酸化物を吸収した後、吸収塔１の下部に設けられた吸収塔タンク５に落下する。吸収塔タンク５内に滞留する吸収液は、吸収液循環ポンプ６によってスプレヘッダ４（スプレノズル３）に供給される。また、吸収塔タンク５には、滞溜する吸収液に空気を供給する空気供給装置（図示省略）が設けられている。
【００１８】
吸収液に吸収された硫黄酸化物（ＳＯ２）は、下記の化学反応式に示すように、吸収液中に含まれる石灰石（ＣａＣＯ３）と反応し、さらに吸収塔タンク５に供給される空気によって酸化されて石膏（ＣａＳＯ４・２Ｈ２Ｏ）となる。吸収剤である石灰石は、石灰石タンク７で石灰石スラリとして貯えられ、石灰石スラリポンプ（図示省略）によって吸収塔タンク５に供給される。
【００１９】
ＳＯ２＋２Ｈ２Ｏ＋ＣａＣＯ３＋１／２Ｏ２→ＣａＳＯ４・２Ｈ２Ｏ＋ＣＯ２
【００２０】
吸収塔タンク５内の吸収液（吸収液スラリ）は、吸収液抜出ポンプ８によってスラリタンク９に送液され、吸収液スラリポンプ１０によってスラリタンク９から分離装置２に送液される。分離装置２は、吸収液中に含まれている石膏を回収する装置であり、石膏ハイドロサイクロン１１と石膏脱水機１２とを備える。石膏ハイドロサイクロン１１は石膏脱水機１２の上方に設置される。一般に、分離装置２の下には、分離した石膏を貯蔵する石膏サイロが設けられることが多く、そのため、石膏脱水機１２は必然的に石膏サイロの上部に設置されることになる。なお、本実施形態の石膏脱水機１２はベルトフィルターである。ベルトフィルターの補機として真空引きポンプや濾過液レシーバー等（図示省略）が用いられ、濾過液レシーバーに後述する濾液流出口４０が設けられる。
【００２１】
スラリタンク９から液送された吸収液は、石膏ハイドロサイクロン１１に流入し、石膏ハイドロサイクロン１１で石膏濃度が高められて石膏脱水機１２に流下する。すなわち、石膏ハイドロサイクロン１１は、吸収液を高固形分濃度液と低固形分濃度液に分離し、高固形分濃度液を石膏脱水機１２へ流下し、低固形分濃度液をオーバーフロー液（脱水濾液）として排出する。
【００２２】
排煙脱硫装置には、脱水濾液が流通する第１〜第５の濾液管路（配管）２１〜２５が設けられている。第１の濾液管路２１の上流端（上端）は、石膏脱水機１２の濾液流出口４０に接続され、第１の濾液管路２１の下流端（下端）は、吸収塔１の濾液流入口４１に接続される第２の濾液管路２２と、排水処理設備１４の濾液流入口４３に接続される第３の濾液管路２３とに分岐する。すなわち、第１〜第３の濾液管路２１，２２，２３は、分離装置２の濾液流出口４０と吸収塔１の濾液流入口４１と排水処理設備１４の濾液流入口４３とを連通する濾液回収管路２０を構成する。分離装置２（石膏脱水機１２）の濾液流出口４０から流出した脱水濾液は、濾液回収管路２０（第１及び第２の濾液管路２１，２２）及び濾液流入口４１を経由して吸収塔タンク５内に流入し、或いは濾液流入口４３を経由して排水処理設備１４へ送出される。排水処理設備１４では、脱水濾液中の有害成分が除去される。第４の濾液管路２４の上流端（上端）は石膏ハイドロサイクロン１１の上部の低固形分濃度側濾液流出口４２に接続され、第４の濾液管路２４の下流端（下端）は第３の濾液管路２３に接続される。石膏ハイドロサイクロン１１からオーバーフローした脱水濾液（オーバーフロー液）は、低固形分濃度側濾液流出口４２から第４の濾液管路２４を流下して第３の濾液管路２３に流入し、分離装置２からの脱水濾液と合流して、濾液流入口４１から吸収塔タンク５内に流入し、或いは濾液流入口４３から排水処理設備１４へ送出される。すなわち、第２〜第４の濾液管路２２，２３，２４は、石膏ハイドロサイクロン１１の低固形分濃度側濾液流出口４２と吸収塔１の濾液流入口４１と排水処理設備１４の濾液流入口４３とを連通する濾液回収管路２０を構成する。第５濾液管路２５の上流端（上端）は第２の濾液管路２２に接続され、第５濾液管路２５の下流端（下端）は石灰石タンク７に接続される。なお、以下の説明では、第３の濾液管路２３のうち第４の濾液管路２４との合流部よりも第２の濾液管路２２側を回収側管路２６と称し、合流部よりも排水処理設備１４側を排出側管路２７と称する。
【００２３】
第１の濾液管路２１と、第２の濾液管路２２のうち第５の濾液管路２５の分岐部より濾液流入口４１側と、排出側管路２７と、第４の濾液管路２４と、第５の濾液管路２５とには、各管路の流量を調整することが可能な第１〜第５のバルブ３１〜３５が設けられている。各バルブ３１〜３５の開度を調整（変更）することにより、排水処理設備１４、石灰石タンク７、及び吸収塔１にそれぞれ送る脱水濾液（オーバーフロー液を含む）の液量を調節することができる。なお、第２のバルブ３２は、濾液回収管路２０のうち吸収塔１の濾液流入口４１へ向かう経路（第５の濾液管路２５との分岐部よりも下流側の第２の濾液管路２２）に設けられた吸収塔側バルブを構成し、第３のバルブ３３は、濾液回収管路２０のうち排水処理設備１４の濾液流入口４３へ向かう経路（排出側管路２７）に設けられた排水処理側バルブを構成する。
【００２４】
石膏脱水機１２が設置される地上高Ｈｃは、スラリタンク９及び吸収液スラリポンプ１０が設置される地上高Ｈｂよりも高く、石膏ハイドロサイクロン１１が設置される地上高さＨｄは、石膏脱水機１２が設置される地上高Ｈｃよりも高い。石膏脱水機１２の濾液流出口４０の地上高（≒Ｈｃ）は、吸収塔１の濾液流入口４１の地上高Ｈａ及び排水処理設備１４の濾液流入口４３の地上高よりも高く設定され、濾液流入口４１の地上高Ｈａは、吸収塔タンク５における吸収液のオーバーフロー面の地上高Ｈｅよりも高く設定されている。なお、図１中では、吸収塔１が設置される地上高（地上レベル）を基準として各地上高を表示している。また、図１中に二点鎖線で示すように、石膏脱水機１２（濾液流出口４０）をスラリタンク９及び吸収液スラリポンプ１０と略同じ地上高（≒Ｈｂ）に設定してもよい。また、スラリタンク９及び吸収液スラリポンプ１０を地上高Ｈｂに設置せず、他の地上高（例えば吸収塔１と同じ地上高）に設置してもよい。
【００２５】
第１及び第２の濾液管路２１，２２は、略全域において上流側が下流側以上の地上高となるように配設され、第４及び第５の濾液管路２４，２５も同様に、略全域において上流側が下流側以上の地上高となるように配設されている。なお、本実施形態では、第２の濾液管路２２の略全域と第３の濾液管路２３のうち少なくとも回収側管路２６とは略水平に配設されている。
【００２６】
分離装置２の濾液流出口４０から流出した脱水濾液は、重力によって第１の濾液管路２１を流下し、第２の濾液管路２２と第３の濾液管路２３とに分岐して吸収塔１の濾液流入口４１と排水処理設備１４の濾液流入口４３とに流入可能となる。また、石膏ハイドロサイクロン１１の低固形分濃度濾液流出口４２から流出したオーバーフロー液（脱水濾液）は、重力によって第４の濾液管路２４を流下し、回収側管路２６と排出側管路２７とに分岐して吸収塔１の濾液流入口４１と排水処理設備１４の濾液流入口４３とに流入可能となる。このように、濾液回収管路２０は、分離装置２の濾液流出口４０から流出した脱水濾液が重力によって流下して吸収塔１の濾液流入口４１と排水処理設備１４の濾液流入口４３とに流入可能で、且つ石膏ハイドロサイクロン１１の低固形分濃度濾液流出口４２から流出した脱水濾液が重力によって流下して吸収塔１の濾液流入口４１と排水処理設備１４の濾液流入口４３とに流入可能に配設されている。
【００２７】
石灰石タンク７は、第２の濾液管路２２よりも低い地上高に設置され、第５のバルブ３５が開放された状態で第２の濾液管路２２から第５の濾液管路２５へ流入した脱水濾液は、重力によって第５の濾液管路２５を流下して石灰石タンク７内へ流入する。
【００２８】
本実施形態によれば、分離装置２の濾液流出口４０から流出した脱水濾液及び、石膏ハイドロサイクロン１１の低固形分濃度濾液流出口４２から流出した脱水濾液は、濾液回収管路２０を流下し、吸収塔１の濾液流入口４１へ流入して吸収塔タンク５に貯留され、或いは排水処理設備１４の濾液流入口４３へ流入して処理される。石膏ハイドロサイクロン１１の低固形分濃度濾液流出口４２の地上高と濾液流出口４０の地上高とは、何れも濾液流入口４１，４３の地上高よりも高く、濾液回収管路２０は、濾液流出口４０から流出した脱水濾液が重力によって流下して濾液流入口４１，４３へ流入するように配設されているので、脱水濾液を貯留する濾液タンクや、濾液タンクから吸収塔タンク５へ脱水濾液を送る濾液ポンプや、排水処理設備１４へ脱水濾液を送る送出ポンプなどを設ける必要がなく、省スペース化やコストの低減が可能となる。
【００２９】
また、吸収塔タンク５を脱水濾液の貯留タンクとして機能させることにより、装置全体の水バランスを整えることができる。
【００３０】
なお、本発明は、一例として説明した上述の実施形態及び変形例に限定されることはなく、上述の実施形態等以外であっても、本発明に係る技術的思想を逸脱しない範囲であれば、設計等に応じて種々の変更が可能である。
【００３１】
例えば、上記実施形態では第１〜第５のバルブ３１〜３５として流量を増減可能な流量可変バルブを用いた例を説明したが、第１〜第５のバルブ３１〜３５の一部又は全部を、開閉のみが可能（流量増減不能）なＯｎ−Ｏｆｆバルブとしてもよい。また、上記実施形態では石膏脱水機１２としてベルトフィルターを使用する例を説明したが、石膏脱水機１２はベルトフィルターに限定されず、遠心式脱水機やデカンタ型脱水機などの他の石膏脱水機を用いてもよい。遠心式脱水機やデカンタ型脱水機を用いた場合、真空引きポンプや濾過液レシーバー等は不要となる。
【符号の説明】
【００３２】
１：吸収塔
２：分離装置
５：吸収塔タンク
８：吸収液抜出ポンプ
９：スラリタンク
１０：吸収液スラリポンプ
１１：石膏ハイドロサイクロン
１２：石膏脱水機
１４：排水処理設備
２０：濾液回収管路
２１〜２５：第１〜第５の濾液管路
２６：回収側管路
２７：排出側管路
３１〜３５：第１〜第５のバルブ
４０：分離装置の濾液流出口
４１：吸収塔の濾液流入口
４２：石膏ハイドロサイクロンの低固形分濃度側濾液流出口
４３：排水処理設備の濾液流入口
【図１】
2019166486.tif 000003
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
硫黄酸化物を含む排ガスから硫黄酸化物を除去する排煙脱硫装置であって、
排ガス中の硫黄酸化物を吸収液で吸収して吸収塔タンク内に貯留する吸収塔と、
前記吸収塔タンクから抜き出した吸収液が第１ポンプによって送液されて流入するスラリタンクと、
前記スラリタンクから第２ポンプによって送液された吸収液を石膏と脱水濾液とに分離する分離装置と、
前記分離装置の濾液流出口と前記吸収塔の濾液流入口とを連通する濾液回収管路と、
石灰石スラリを貯えるための石灰石タンクと、
前記濾液回収管路と前記石灰石タンクとを連通する石灰石タンク管路と、
前記石灰石タンク管路に設けられた石灰石タンクバルブと、を備え、
前記濾液流出口の地上高は、前記濾液流入口の地上高よりも高く、
前記スラリタンクが設置される地上高は、前記濾液流入口の地上高よりも高く、且つ前記分離装置の吸収液流入口の地上高よりも低く、
前記濾液回収管路と前記石灰石タンク管路とは、前記濾液流出口から流出した脱水濾液が重力によって流下して前記濾液流入口と前記石灰石タンクとに流入可能に配設されている
ことを特徴とする排煙脱硫装置。
【請求項２】
硫黄酸化物を含む排ガスから硫黄酸化物を除去する排煙脱硫装置であって、
排ガス中の硫黄酸化物を吸収液で吸収して吸収塔タンク内に貯蔵する吸収塔と、
前記吸収塔タンクから抜き出した吸収液が第１ポンプによって送液されて流入するスラリタンクと、
前記スラリタンクから第２ポンプによって送液された吸収液を石膏と脱水濾液とに分離する分離装置と、
脱水濾液中の有害成分を除去する排水処理設備と、
前記分離装置の濾液流出口と前記吸収塔の濾液流入口と前記排水処理設備の濾液流入口とを連通する濾液回収管路と、
前記濾液回収管路のうち前記吸収塔の前記濾液流入口へ向かう経路に設けられた吸収塔側バルブと、
前記濾液回収管路のうち前記排水処理設備の前記濾液流入口へ向かう経路に設けられた排水処理側バルブと、
石灰石スラリを貯えるための石灰石タンクと、
前記濾液回収管路と前記石灰石タンクとを連通する石灰石タンク管路と、
前記石灰石タンク管路に設けられた石灰石タンクバルブと、を備え、
前記濾液流出口の地上高は、前記吸収塔の前記濾液流入口の地上高及び前記排水処理設備の前記濾液流入口の地上高よりも高く、
前記スラリタンクが設置される地上高は、前記吸収塔の前記濾液流入口の地上高よりも高く、且つ前記分離装置の吸収液流入口の地上高よりも低く、
前記濾液回収管路と前記石灰石タンク管路とは、前記濾液流出口から流出した脱水濾液が重力によって流下して前記吸収塔の前記濾液流入口と前記排水処理設備の前記濾液流入口と前記石灰石タンクとに流入可能に配設されている
ことを特徴とする排煙脱硫装置。
【請求項３】
硫黄酸化物を含む排ガスから硫黄酸化物を除去する排煙脱硫装置であって、
排ガス中の硫黄酸化物を吸収液で吸収して吸収塔タンク内に貯蔵する吸収塔と、
前記吸収塔タンクから抜き出した吸収液が第１ポンプによって送液されて流入するスラリタンクと、
前記スラリタンクから第２ポンプによって送液された吸収液を高固形分濃度液と低固形分濃度液に分離する石膏ハイドロサイクロンと、
前記石膏ハイドロサイクロンから排出された高固形分濃度液を石膏と脱水濾液とに分離する分離装置と、
脱水濾液中の有害成分を除去する排水処理設備と、
前記石膏ハイドロサイクロンの低固形分濃度側濾液流出口と前記分離装置の濾液流出口と前記吸収塔の濾液流入口と前記排水処理設備の濾液流入口とを連通する濾液回収管路と、
前記濾液回収管路のうち前記吸収塔の前記濾液流入口へ向かう経路に設けられた吸収塔側バルブと、
前記濾液回収管路のうち前記排水処理設備の前記濾液流入口へ向かう経路に設けられた排水処理側バルブと、
石灰石スラリを貯えるための石灰石タンクと、
前記濾液回収管路と前記石灰石タンクとを連通する石灰石タンク管路と、
前記石灰石タンク管路に設けられた石灰石タンクバルブと、を備え、
前記石膏ハイドロサイクロンの前記低固形分濃度濾液流出口の地上高と前記分離装置の前記濾液流出口の地上高とは、前記吸収塔の前記濾液流入口の地上高及び前記排水処理設備の前記濾液流入口の地上高よりも高く、
前記スラリタンクが設置される地上高は、前記吸収塔の前記濾液流入口の地上高よりも高く、且つ前記石膏ハイドロサイクロンの吸収液流入口の地上高よりも低く、
前記濾液回収管路は、前記分離装置の前記濾液流出口から流出した脱水濾液が重力によって流下して前記吸収塔の前記濾液流入口と前記排水処理設備の前記濾液流入口と前記石灰石タンクとに流入可能で、且つ前記石膏ハイドロサイクロンの前記低固形分濃度濾液流出口から流出した脱水濾液が重力によって流下して前記吸収塔の前記濾液流入口と前記排水処理設備の前記濾液流入口と前記石灰石タンクとに流入可能に配設されている
ことを特徴とする排煙脱硫装置。
【手続補正２】
【補正対象書類名】明細書
【補正対象項目名】０００７
【補正方法】変更
【補正の内容】
【０００７】
上記目的を達成すべく、本発明の第１の態様は、硫黄酸化物を含む排ガスから硫黄酸化物を除去する排煙脱硫装置であって、排ガス中の硫黄酸化物を吸収液で吸収して吸収塔タンク内に貯留する吸収塔と、吸収塔タンクから抜き出した吸収液が第１ポンプによって送液されて流入するスラリタンクと、スラリタンクから第２ポンプによって送液された吸収液を石膏と脱水濾液とに分離する分離装置と、分離装置の濾液流出口と吸収塔の濾液流入口とを連通する濾液回収管路と、石灰石スラリを貯えるための石灰石タンクと、濾液回収管路と石灰石タンクとを連通する石灰石タンク管路と、石灰石タンク管路に設けられた石灰石タンクバルブと、を備える。濾液流出口の地上高は、濾液流入口の地上高よりも高く、スラリタンクが設置される地上高は、濾液流入口の地上高よりも高く、且つ分離装置の吸収液流入口の地上高よりも低い。濾液回収管路と石灰石タンク管路とは、濾液流出口から流出した脱水濾液が重力によって流下して濾液流入口と石灰石タンクとに流入可能に配設されている。
【手続補正３】
【補正対象書類名】明細書
【補正対象項目名】０００８
【補正方法】変更
【補正の内容】
【０００８】
本発明の第２の態様は、硫黄酸化物を含む排ガスから硫黄酸化物を除去する排煙脱硫装置であって、排ガス中の硫黄酸化物を吸収液で吸収して吸収塔タンク内に貯蔵する吸収塔と、吸収塔タンクから抜き出した吸収液が第１ポンプによって送液されて流入するスラリタンクと、スラリタンクから第２ポンプによって送液された吸収液を石膏と脱水濾液とに分離する分離装置と、脱水濾液中の有害成分を除去する排水処理設備と、分離装置の濾液流出口と吸収塔の濾液流入口と排水処理設備の濾液流入口とを連通する濾液回収管路と、濾液回収管路のうち吸収塔の濾液流入口へ向かう経路に設けられた吸収塔側バルブと、濾液回収管路のうち排水処理設備の濾液流入口へ向かう経路に設けられた排水処理側バルブと、石灰石スラリを貯えるための石灰石タンクと、濾液回収管路と石灰石タンクとを連通する石灰石タンク管路と、石灰石タンク管路に設けられた石灰石タンクバルブと、を備える。濾液流出口の地上高は、吸収塔の濾液流入口の地上高及び排水処理設備の濾液流入口の地上高よりも高く、スラリタンクが設置される地上高は、吸収塔の濾液流入口の地上高よりも高く、且つ分離装置の吸収液流入口の地上高よりも低い。濾液回収管路と石灰石タンク管路とは、濾液流出口から流出した脱水濾液が重力によって流下して吸収塔の濾液流入口と排水処理設備の濾液流入口と石灰石タンクとに流入可能に配設されている。
【手続補正４】
【補正対象書類名】明細書
【補正対象項目名】０００９
【補正方法】変更
【補正の内容】
【０００９】
本発明の第３の態様は、硫黄酸化物を含む排ガスから硫黄酸化物を除去する排煙脱硫装置であって、排ガス中の硫黄酸化物を吸収液で吸収して吸収塔タンク内に貯蔵する吸収塔と、吸収塔タンクから抜き出した吸収液が第１ポンプによって送液されて流入するスラリタンクと、スラリタンクから第２ポンプによって送液された吸収液を高固形分濃度液と低固形分濃度液に分離する石膏ハイドロサイクロンと、石膏ハイドロサイクロンから排出された高固形分濃度液を石膏と脱水濾液とに分離する分離装置と、脱水濾液中の有害成分を除去する排水処理設備と、石膏ハイドロサイクロンの低固形分濃度側濾液流出口と分離装置の濾液流出口と吸収塔の濾液流入口と排水処理設備の濾液流入口とを連通する濾液回収管路と、濾液回収管路のうち吸収塔の濾液流入口へ向かう経路に設けられた吸収塔側バルブと、濾液回収管路のうち排水処理設備の濾液流入口へ向かう経路に設けられた排水処理側バルブと、石灰石スラリを貯えるための石灰石タンクと、濾液回収管路と石灰石タンクとを連通する石灰石タンク管路と、石灰石タンク管路に設けられた石灰石タンクバルブと、を備える。石膏ハイドロサイクロンの低固形分濃度濾液流出口の地上高と分離装置の濾液流出口の地上高とは、吸収塔の濾液流入口の地上高及び排水処理設備の濾液流入口の地上高よりも高く、スラリタンクが設置される地上高は、吸収塔の濾液流入口の地上高よりも高く、且つ石膏ハイドロサイクロンの吸収液流入口の地上高よりも低い。濾液回収管路は、分離装置の濾液流出口から流出した脱水濾液が重力によって流下して吸収塔の濾液流入口と排水処理設備の濾液流入口と石灰石タンクとに流入可能で、且つ石膏ハイドロサイクロンの低固形分濃度濾液流出口から流出した脱水濾液が重力によって流下して吸収塔の濾液流入口と排水処理設備の濾液流入口と石灰石タンクとに流入可能に配設されている。
【手続補正５】
【補正対象書類名】明細書
【補正対象項目名】００２４
【補正方法】変更
【補正の内容】
【００２４】
石膏脱水機１２が設置される地上高Ｈｃは、スラリタンク９及び吸収液スラリポンプ１０が設置される地上高Ｈｂよりも高く、石膏ハイドロサイクロン１１が設置される地上高さＨｄは、石膏脱水機１２が設置される地上高Ｈｃよりも高い。石膏脱水機１２の濾液流出口４０の地上高（≒Ｈｃ）は、吸収塔１の濾液流入口４１の地上高Ｈａ及び排水処理設備１４の濾液流入口４３の地上高よりも高く設定され、濾液流入口４１の地上高Ｈａは、吸収塔タンク５における吸収液のオーバーフロー面の地上高Ｈｅよりも高く設定されている。なお、図１中では、吸収塔１が設置される地上高（地上レベル）を基準として各地上高を表示している。また、図１中に二点鎖線で示すように、石膏脱水機１２（濾液流出口４０）をスラリタンク９及び吸収液スラリポンプ１０と略同じ地上高（≒Ｈｂ）に設定してもよい。また、スラリタンク９及び吸収液スラリポンプ１０を地上高Ｈｂに設置せず、他の地上高に設置してもよい。